(57)【特許請求の範囲】
【請求項１】
画面の第１領域を背光照明する第１バックライトと画面の第２領域を背光照明する第２バックライトを備えた液晶表示部と、
火災発生時の情報や火災監視に関する情報を画面表示させる表示制御部と、
外部電源による動作時は前記第１バックライトと第２バックライトの両方を点灯して画面の全面を背光照明し、外部電源の停電を検出して予備電源に切替えた予備電源動作時は前記第１バックライトと第２バックライトを消灯するバックライト制御部と、
を備え、
前記バックライト制御部は、予備電源動作中の火災発生時に前記第１バックライトを点灯状態として前記第１領域を背光照明することを特徴とする火災受信機。
【請求項２】
請求項１記載の火災受信機に於いて、前記液晶表示部は、
画面の略上半分の領域を前記第１領域とし、画面の略下半分の領域を前記第２領域とすることを特徴とする火災受信機。
【請求項３】
請求項１記載の火災受信機に於いて、前記表示制御部は、前記予備電源動作中の火災発生時に前記第１領域に、少なくとも火災情報を集約して表示することを特徴とする火災受信機。
【請求項４】
請求項１又は２記載の火災受信機に於いて、
前記液晶表示部は、更にタッチスイッチパネルを備え、
前記バックライト制御部は、前記予備電源動作中の火災発生時に前記タッチスイッチパネルの操作を検出した際に、前記第２バックライトを点灯して画面全面を背光照明することを特徴とする火災受信機。
【請求項５】
請求項４記載の火災受信機に於いて、前記バックライト制御部は、前記予備電源動作中の火災発生時に前記第２バックライトを点灯して画面全体を背光照明した後、前記タッチスイッチパネルの操作を再度検出した際に、前記第２バックライトを消灯して前記第１領域の背光照明に戻すことを特徴とする火災受信機。
【請求項６】
請求項４記載の火災受信機に於いて、前記バックライト制御部は、前記予備電源動作中の火災発生時に前記第２バックライトを点灯して画面全体を背光照明した後、所定時間経過した場合に、前記第２バックライトを消灯して前記第１領域の背光照明に戻すことを特徴とする火災受信機。
【請求項７】
請求項１記載の火災受信機に於いて、前記表示制御部は、前記液晶表示部の画面に、前記予備電源に切替えた後の残り時間を表示することを特徴とする火災受信機。
【発明の詳細な説明】
【技術分野】
【０００１】
本発明は、外部交流電源の停電時にバッテリーを用いた予備電源に切替えて火災監視を継続する火災受信機に関する。
【背景技術】
【０００２】
従来、火災受信機から引出された感知器回線に火災感知器を接続して火災を感知する火災報知設備にあっては、火災受信機に外部から交流電源を供給して監視動作を行っているが、停電時の火災監視動作と火災警報動作を所定時間に亘り保証するため、バッテリーを用いた予備電源を設けている。
【０００３】
予備電源の容量は、停電時に１時間の火災監視ができ、且つ、火災感知器が火災を検出した場合には、１０分間の火災警報動作ができる容量とすることが規格上定められている。
【０００４】
予備電源としては、受信機内にバッテリーを設置しており、バッテリーを小型化してコスト低減を図るためには、停電による予備電源動作時の消費電流を低減する必要がある。
【０００５】
この予備電源動作時の低消費電流化を図るため、従来の受信機では、地区音響装置を常用電源使用時に連続鳴動させ、予備電源装置の使用時には間欠鳴動させる方法が採用されている。
【特許文献１】特開２００１−３３８３５９号公報
【発明の開示】
【発明が解決しようとする課題】
【０００６】
しかしながら、近年の火災受信機にあっては、ＣＰＵ回路の高速化と高機能化、液晶表示部のカラー化と大画面化等により停電時の消費電力が増大する傾向にあり、従来の予備電源動作時の低電流化を行ったとしても、予備電源の大容量化が必要となり、バッテリーが大型化して高コスト化するという問題がある。
【０００７】
本発明は、液晶表示部の大画面化による表示機能を損なうことなく予備電源動作時の消費電流を低減して予備電源の小型化とコスト低減を図る火災受信機を提供することを目的とする。
【課題を解決するための手段】
【０００８】
この目的を達成するため本発明は次のように構成する。本発明の火災受信機は、
画面の略上半分の領域を背光照明する第１バックライトと画面の略下半分の領域を背光照明する第２バックライトを備えた液晶表示部と、
火災監視に関する情報を画面表示させる表示制御部と、
外部電源による動作時は第１バックライトと第２バックライトの両方を点灯して画面の全面を背光照明し、外部電源の停電を検出して予備電源に切替えた予備電源動作時は第２バックライトを消灯して第１バックライトのみを点灯状態として画面の略上半分を背光照明するバックライト制御部と、
を備えたことを特徴とする。
【０００９】
ここで、表示制御部は、予備電源動作時に画面の略上半分の領域に、重要な情報を集約して表示する。
【００１０】
また液晶表示部はタッチスイッチパネルを備え、バックライト制御部は、予備電源動作中にタッチスイッチパネルの操作を検出した際に、第２バックライトを点灯して画面全体を背光照明する。
【００１１】
バックライト制御部は、予備電源動作中に第２バックライトを点灯して画面全体を背光照明した後、タッチスイッチパネルの操作を再度検出した際に、第２バックライトを消灯して画面の略上半分の背光照明に戻す。
【００１２】
バックライト制御部は、予備電源動作中に第２バックライトを点灯して画面全体を背光照明した後、所定時間経過した場合に第２バックライトを消灯して画面の略上半分の背光照明に戻すようにしても良い。
【００１３】
表示制御部は、液晶表示部の画面に、予備電源に切替えた後の残り時間を表示する。
【００１４】
本発明による火災受信機の別の形態にあつては、
画面の略上半分の領域を背光照明する第１バックライトと、画面の略下半分の領域を背光照明する第２バックライトと、更にタッチスイッチパネルを備えた液晶表示部と、
火災発生時の情報や火災監視に関する情報を画面表示させる表示制御部と、
外部電源による動作時は第１バックライトと第２バックライトの両方を点灯して画面の全面を背光照明し、外部電源の停電を検出して予備電源に切替えた予備電源動作時は前記第１バックライトと第２バックライトを消灯するバックライト制御部を備え、
更にバックライト制御部は、火災発生時には前記第１バックライトを点灯状態として画面の略上半分の領域を背光照明し、タッチスイッチパネルの操作を検出した際に、前記第２バックライトを点灯して画面全面を背光照明することを特徴とする。
【発明の効果】
【００１５】
本発明によれば、停電による予備電源動作時に、液晶表示部に設けている画面を略上下半分に分けて背光照明する２つのバックライトの内、画面の略上半分を背光照明するバックライトは点灯したまま画面の略下半分を背光照明するバックライトを消灯することで、通常時のバックライトの消費電流を予備電源動作時に略半分に低下させ、予備電源のバッテリー容量を低減し、コスト低減を図ることができる。
【００１６】
また予備電源動作中は、画面の略上半分が背光照明され、上半分を使用して必要な監視情報を表示することができ、バックライトの消費電流を低減しても、液晶表示部による表示機能は維持することができ、予備電源動作中についても、液晶表示部の表示を利用した監視が適切に継続できる。
【００１７】
特に、予備電源動作中は、画面上半分に火災情報などの重要な情報を集約して表示することで、全面表示の場合と遜色のない表示機能が実現できる。
【００１８】
また画面上半分の背光照明による表示中に、画面のタッチスイッチパネルに指を触れるタッチスイッチ操作を行うと、下半分のバックライト消灯が解除されて点灯することで全面表示に切り替わり、監視要員が予備電源動作中に必要に応じていつでも全面表示に切り替えることができる。
【００１９】
また全面表示に切替えた後は、監視要員のタッチスイッチ操作あるいはタイマ監視による一定時間経過で、元の画面上半分の表示に戻り、可能な限りバックライトの点灯による消費電流を低減する。
【００２０】
更に、予備電源の容量として、停電時に１時間の火災監視ができ、且つ、火災感知器が火災を検出した場合には１０分間の火災警報動作ができる容量とすることが規格上定められていることから、予備電源動作中に液晶表示部に火災監視１時間の残り時間、又は火災検出時の１０分間の火災警報動作の残り時間を表示することで、予備電源動作による状況を監視要員が適切に把握し、残り時間内に必要な対処を迅速に進めることができる。
【００２１】
また、本発明の別の形態にあっては、停電による予備電源動作時に、液晶表示部に設けている画面を背光照明するバックライトを全て消灯することでバックライトの消費電流がなくなり、火災発生時には画面の略上半分を背光照明するバックライトを点灯することで、通常時のバックライトの消費電流を略半分に低下させ、更にタッチスイッチ操作で全画面表示に切り替えることで予備電源のバッテリー容量を更に抑制し、コスト低減を図ることができる。
【発明を実施するための最良の形態】
【００２２】
図１は本発明が適用された火災受信機の説明図である。図１において、火災受信機１０はパネル前面に上部から表示部１２、液晶表示部１４、音響孔１６、操作部１８及びプリンタ２０を設けている。
【００２３】
表示部１２には、火災代表灯、ガス漏れ代表灯、交流電源灯、電話灯、スイッチ注意灯、地区音響完全停止中灯、非常放送中灯、地区音響一斉鳴動中灯、更には地区表示灯などが設けられている。液晶表示部１４は表示画面が大型化されており、例えば従来の火災受信機にあっては５．２５インチであったものが、本発明にあっては１５インチ画面と大画面化を図っている。
【００２４】
操作部１８には、音響停止スイッチ、地区音響一時停止スイッチ、復旧スイッチ、地区音響一斉鳴動スイッチ、一括連動移報停止スイッチなどが設けられている。プリンタ２０はロール紙を使用しており、イベント発生ごとにイベント内容を時刻と共に打ち出している。
【００２５】
図２は本発明の火災受信機を用いた火災報知設備の説明図である。図２において、火災受信機１０には受信機ＣＰＵ２２が設けられ、受信機ＣＰＵ２２に対し複数の受信回路部２４が設けられ、受信回路部２４からは感知器回線２６が引き出され、感知器回線２６に火災感知器２８を接続している。
【００２６】
受信回路部２４は、感知器回線２６に接続している火災感知器２８のいずれかが火災発報により発報電流を出力すると、これを受信して受信機ＣＰＵ２２に対し火災発報信号を出力する。
【００２７】
受信機ＣＰＵ２２に対しては、図１に示したように、表示部１２、液晶表示部１４、操作部１８及びプリンタ２０が設けられ、更に音響警報部１５が設けられている。また火災受信機１０には、外部のＡＣ１００Ｖの供給を受けて火災受信機１０に必要な直流電源を作り出す電源部３６が設けられている。
【００２８】
電源部３６に対しては、バッテリーを備えた予備電源部３８と電源切替部４０が設けられている。電源切替部４０は電源部３６に対するＡＣ１００Ｖの停電を検出して予備電源部３８に電源を切り替える。停電時の予備電源部３８によるバッテリー容量は、規格上定められた１時間の火災監視ができ、且つ火災感知器２８が火災を検出した場合には１０分間の火災警報動作ができる容量としている。
【００２９】
液晶表示部１４には液晶パネル３０が設けられており、この液晶パネル３０に対しては、画面の略上半分を背光照明する第１バックライト３２と、画面の略下上半分を背光照明する第２バックライト３４が設けられている。
【００３０】
受信機ＣＰＵ２２には、プログラム制御により実現される機能として、火災監視部４２、表示制御部４４及びバックライト制御部４６が設けられている。火災監視部４２は受信回路部２４からの火災発報信号を一定周期で順次読み込んでおり、火災発報信号を検出して火災を確定すると、表示部１２の火災代表灯を点灯し、音響警報部１５により火災警報を出力する。
【００３１】
表示制御部４４は液晶表示部１４の液晶パネル３０に、火災情報、設備作動情報、端末障害情報などの表示制御を行う。バックライト制御部４６は、ＡＣ１００Ｖの供給による電源部３６の動作時は、第１バックライト３２及び第２バックライト３４の両方を点灯して液晶パネル３０の画面全面を背光照明する。
【００３２】
これに対しＡＣ１００Ｖの停電を検出して予備電源部３８に切り替えた場合には、バックライト制御部４６は第１バックライト３２は点灯を維持するが第２バックライト３４を消灯し、画面の略上半分を背光照明し、消費電流を低減する。この停電による予備電源動作時の第１バックライト３２のみの点灯による画面の略上半分の背光照明に伴い、表示制御部４４は、液晶パネル３０の画面の上半分の領域に火災情報などの重要な情報を集約して表示するように表示制御を行う。
【００３３】
図３は本発明の受信機に設けた液晶表示部の説明図である。図３において、液晶表示部１４は、パネル枠３５により液晶パネル３０を支持しており、液晶パネル３０の背後の上部には冷陰極管を用いた第１バックライト３２が配置され、また液晶パネル３０の背後の下部に同じく冷陰極管を用いた第２バックライト３４が配置されている。
【００３４】
通常時にあっては、第１バックライト３２及び第２バックライト３４の両方が点灯し、液晶パネル３０の全面を背光照明することで、液晶パネル３０の全面による表示内容を認識できる。これに対し停電による予備電源動作時にあっては、第２バックライト３４を消灯して予備電源動作中の消費電流の低減を図っている。
【００３５】
図４は予備電源動作時の下半分のバックライトを消灯した液晶表示部の表示動作の説明図である。図４において、液晶表示部１４は、予備電源動作時には上側の第１バックライト３２の点灯は維持し、下側の第２バックライト３４を消灯しており、したがって液晶パネル３０の上半分については十分な背光照明が行われるが、下半分については下側へ行くほど画面が暗くなっている。
【００３６】
このような予備電源動作時に下側の第２バックライトを消灯し上側の第１バックライトのみを点灯した表示状態にあっては、液晶パネル３０の上半分を火災情報表示エリア４８とし、火災情報表示エリア４８に火災監視に必要な重要な情報を集約して表示する。
【００３７】
火災情報表示エリア４８に表示する重要な情報としては、例えば予備電源動作中に火災を検出した場合には図示のように火災マーク５２、火災メッセージ５４及び地区名５６を表示する。これに対し、液晶パネル３０の上半分に相当するサブ情報表示エリア５０については、設備作動情報や端末障害情報など、火災監視上、重要性の低い情報を表示させる。
【００３８】
図５は予備電源動作時の液晶表示部の表示動作の他の実施形態であり、この実施形態にあっては予備電源部３８の容量で決まる規格上の動作保証時間の残り時間を表示するようにしたことを特徴とする。
【００３９】
図５において、予備電源動作時にあっては、液晶表示部１４における上側の第１バックライト３２の点灯は維持するが下側の第２バックライト３４は消灯し、予備電源動作時の消費電流の低減を図っている。
【００４０】
このとき火災情報表示エリア４８には、例えば図４の場合と同様、火災受信に伴い、火災マーク５２、火災メッセージ５４及び地区名５６を表示しているが、この実施形態にあっては更に、サブ情報エリア５０の上部に予備電源残り時間５８を表示している。
【００４１】
予備電源部３８のバッテリー容量としては、火災を検出した火災警報動作を１０分間保証する必要があり、そこで規格上の火災警報動作時間１０分を５つの時間帯に分割した時間スケールで予備電源残り時間を表示するようにしている。
【００４２】
なお火災を検出していない場合の通常時の予備電源動作時については、規格上、１時間の火災監視時間が要求されていることから、予備電源残り時間としては例えば６０分、５０分、４０分、３０分、２０分、１０分の１０分間隔で分割した時間スケールを使用して予備電源残り時間を表示する。もちろん、予備電源残り時間としては、時間バーグラフによる表示以外に残り時間の数値表示を行うようにしてもよい。
【００４３】
図６は図２の火災受信機におけるバックライト制御処理のフローチャートである。図６において、バックライト制御処理は、ステップＳ１で火災受信機１０の電源投入に伴う初期化処理を行った後、ステップＳ２で第１バックライト３２及び第２バックライト３４の両方を点灯し、画面全面を背光照明している。
【００４４】
この状態で、ステップＳ３で停電による予備電源動作が判別されると、ステップＳ４で第２バックライト３４を消灯し、図４に示したように第１バックライト３２のみの点灯で画面領域の略上半分の背光照明を行い、第２バックライト３４の消灯により予備電源動作時の消費電流の低減を図っている。
【００４５】
この停電による第２バックライト３４の消灯中にステップＳ５で停電が復旧して予備電源動作の停止が判別されると、ステップＳ６で第２バックライト３４を点灯し、画面全面の背光照明に復旧させる。このようなステップＳ３〜Ｓ６の処理を、ステップＳ７で停止指示があるまで繰り返す。
【００４６】
図７は図２の火災受信機における表示制御のフローチャートである。図７において、表示制御は、ステップＳ１で火災受信機１０の電源投入に伴う初期化処理を行った後、ステップＳ２で液晶表示部１４の全面を使用した全面表示処理を行っている。
【００４７】
この状態で、ステップＳ３で停電による予備電源部の動作が判別されると、図６のバックライト制御処理により下側に配置している第２バックライト３４が消灯されることから、ステップＳ４で上半分の火災情報表示エリア４８と下半分のサブ情報表示エリア５０とに分け、上半分に重要な情報を集約表示する集約表示処理を行う。
【００４８】
予備電源部の動作中に、ステップＳ５で復電により予備電源部の動作停止が判別されると、ステップＳ６で第２バックライト３４を点灯して全面表示処理に復旧する。このようなステップＳ３〜Ｓ６の処理を、ステップＳ７で停止指示があるまで繰り返すことになる。
【００４９】
図８は図２の火災受信機におけるバックライト制御処理の他の実施形態のフローチャートであり、この実施形態にあっては液晶表示部１４の液晶パネル３０の前面にタッチスイッチパネルを設けていることから、予備電源動作中の第２バックライト３４の消灯状態でタッチスイッチパネルを監視要員が指先でタッチスイッチ操作した場合、第２バックライト３４を点灯して全面表示に復旧させるようにしたことを特徴とする。
【００５０】
図８において、この実施形態のバックライト制御処理は、ステップＳ１で火災受信機１０の電源投入に伴う初期化処理を行った後、ステップＳ２で第１バックライト３２と第２バックライト３４の両方を点灯して画面全面を背光照明している。この状態で、ステップＳ３で停電により予備電源部の動作が判別されると、ステップＳ４で第２バックライトを消灯し、消費電流の低減を図る。
【００５１】
予備電源動作中の第２バックライト３４の消灯状態で、ステップＳ５でタッチスイッチ操作が判別されると、ステップＳ６で第２バックライト３４を点灯し、画面全面の背光照明に復旧させる。これによって監視要員は、画面上部の火災表示情報に加え、画面下側のサブ表示情報についても同時に、通常時と同様に表示内容を確認することができる。
【００５２】
ステップＳ６で第２バックライト３４を点灯した後、ステップＳ７で再度、タッチスイッチ操作が判別されると、ステップＳ８で再び第２バックライト３４を消灯し、消費電流の低減を図る予備電源動作中のバックライト制御に戻る。このようなステップＳ３〜Ｓ８の処理を、ステップＳ９で停止指示があるまで繰り返す。
【００５３】
図９は図２の火災受信機におけるバックライト制御処理の他の実施形態のフローチャートであり、この実施形態にあっては、図８の実施形態が予備電源動作中にタッチスイッチ操作で点灯した第２バックライトを監視タイマによる一定時間の経過後のタイムアウトで自動的に消灯させるようにしたことを特徴とする。
【００５４】
図９において、バックライト制御処理は、ステップＳ１で火災受信機１０の電源投入に伴う初期化処理を行った後、ステップＳ２で第１バックライト３２と第２バックライト３４の両方を点灯して全面表示状態としている。この状態で、ステップＳ３において停電による予備電源部の動作が判別されると、ステップＳ４で第２バックライト３４を消灯し、消費電流の低減を図る。
【００５５】
第２バックライト３４の消灯状態で、ステップＳ５でタッチスイッチ操作が判別されると、ステップＳ６で第２バックライト３４を点灯し、同時に監視タイマをスタートする。続いてステップＳ７で監視タイマのタイムアウトをチェックしており、一定時間後にタイムアウトが判別されると、ステップＳ８に進み、自動的に第２バックライト３４を消灯する。このようなステップＳ３〜Ｓ８の処理を、ステップＳ９で停止指示があるまで繰り返すことになる。
【００５６】
図１０は図２の火災受信機１０におけるバックライト制御処理の他の実施形態のフローチャートであり、この実施形態にあっては、停電により予備電源部３８が動作した際に、液晶表示部１４に設けている画面を背光照明するバックライトを全て消灯してバックライトの消費電流をなくし、火災発生時には画面の略上半分を背光照明するバックライトを点灯することで、通常時のバックライトの消費電流を略半分に低下させ、更にタッチスイッチ操作で全画面表示に切り替えることを特徴とする。
【００５７】
図１０において、バックライト制御処理は、ステップＳ１で火災受信機１０の電源投入に伴う初期化処理を行った後、ステップＳ２で第１バックライト３２と第２バックライト３４の両方を点灯して画面全面を背光照明している。この状態で、ステップＳ３で停電により予備電源部３８の動作が判別されると、ステップＳ４で第１バックライト３２、第２バックライト３４を消灯し、消費電流が発生しないようにする。
【００５８】
予備電源部３８が動作中の第１バックライト３２、第２バックライト３４の消灯状態で、ステップＳ５で火災発生が判別されると、ステップＳ６で第１バックライト３２を点灯し、監視要員は画面上部の火災表示情報の表示内容を確認することができる。ステップＳ６で第１バックライト３２を点灯した後、ステップＳ７でタッチスイッチパネルの操作が判別されると、ステップＳ８で第１バックライト３２、第２バックライト３４を点灯させ、監視要員は全画面表示により通常時と同様に表示内容を確認すると共に画面操作することができる。
【００５９】
ここで、ステップＳ８では第１バックライト３２、第２バックライト３４を点灯させるが、ステップＳ６で既に第１バックライト３２が点灯している場合は、第２バックライト３４のみを点灯させる動作となる。
【００６０】
なお、本発明は、その目的と利点を損なうことのない適宜の変形を含み、更に上記の実施形態に示した数値による限定は受けない。
【図面の簡単な説明】
【００６１】
【図１】本発明が適用された火災受信機の説明図
【図２】本発明の火災受信機を用いた火災報知設備の説明図
【図３】本発明の受信機に設けた液晶表示部の説明図
【図４】予備電源動作時の下半分のバックライトを消灯した液晶表示部の表示動作の説明図
【図５】予備電源残り時間を表示した液晶表示部の表示動作の説明図
【図６】図２の火災受信機におけるバックライト制御処理のフローチャート
【図７】図２の火災受信機における表示制御のフローチャート
【図８】図２の火災受信機におけるバックライト制御処理の他の実施形態のフローチャート
【図９】図２の火災受信機におけるバックライト制御処理の他の実施形態のフローチャート
【図１０】図２の火災受信機におけるバックライト制御処理の他の実施形態のフローチャート
【符号の説明】
【００６２】
１０：火災受信機
１２：表示部
１４：液晶表示部
１５：音響警報部
１６：音響孔
１８：操作部
２０：プリンタ
２２：受信機ＣＰＵ
２４：受信回路部
２６：感知器回線
２８：火災感知器
３０：液晶パネル
３２：第１バックライト
３４：第２バックライト
３５：パネル枠
３６：電源部
３８：予備電源部
４０：電源切替部
４２：火災監視部
４４：表示制御部
４６：バックライト制御部
４８：火災情報表示エリア
５０：サブ情報表示エリア
５２：火災マーク
５４：火災メッセージ
５６：地区名
５８：予備電源残り時間
【図１】
0004758184.tif 000002
【図２】
0004758184.tif 000003
【図３】
0004758184.tif 000004
【図４】
0004758184.tif 000005
【図５】
0004758184.tif 000006
【図６】
0004758184.tif 000007
【図７】
0004758184.tif 000008
【図８】
0004758184.tif 000009
【図９】
0004758184.tif 000010
【図１０】
0004758184.tif 000011